(57)【要約】【課題】昇降路内のスペースを有効に活用することができる。【解決手段】エレベーターは、乗場敷居６の下方で昇降路１００内に臨んで配置されているトーガード３、トーガード３の下方で昇降路１００内に臨んで配置されている各フェッシャープレート４、及び、ハンガレールケース７をカバーするハンガーケースカバー５を備えている。そして、トーガード３、各フェッシャーガード４、及び、ハンガーケースカバー５のうち、各フェッシャープレート４に、文字による情報ｄ１が直接描かれている。【選択図】図１
2005145593.tif 000002
【特許請求の範囲】
【請求項１】
乗場敷居の下方で昇降路内に臨んで設けられているトーガードを備えているエレベーターにおいて、
上記トーガードには、文字及び絵の少なくともいずれか一方による情報が直接描かれていることを特徴とするエレベーター。
【請求項２】
トーガードの下方で昇降路内に臨んで設けられているフェッシャープレートを備えているエレベーターにおいて、
上記フェッシャープレートには、文字及び絵の少なくともいずれか一方による情報が直接描かれていることを特徴とするエレベーター。
【請求項３】
ハンガレールケースをカバーするハンガーケースカバーを備えているエレベーターにおいて、
上記ハンガーケースカバーには、文字及び絵の少なくともいずれか一方による情報が直接描かれていることを特徴とするエレベーター。
【請求項４】
乗場敷居の下方で昇降路内に臨んで設けられているトーガードを備えているエレベーターにおいて、
上記トーガードには、情報を表示するための情報伝達媒体が設けられていることを特徴とするエレベーター。
【請求項５】
トーガードの下方で昇降路内に臨んで設けられているフェッシャープレートを備えているエレベーターにおいて、
上記フェッシャープレートには、情報を表示するための情報伝達媒体が設けられていることを特徴とするエレベーター。
【請求項６】
ハンガレールケースをカバーするハンガーケースカバーを備えているエレベーターにおいて、
上記ハンガーケースカバーには、情報を表示するための情報伝達媒体が設けられていることを特徴とするエレベーター。
【請求項７】
上記情報伝達媒体として、ステッカー及び垂れ幕のいずれか一つが用いられていることを特徴とする請求項４から６までのいずれかに記載のエレベーター。
【請求項８】
上記情報伝達媒体として、ネオン管表示盤、電光表示盤、及び、ＬＥＤパネルのいずれか一つが用いられていることを特徴とする請求項４から６までのいずれかに記載のエレベーター。
【請求項９】
上記情報伝達媒体は、上記トーガード、上記フェッシャープレート、及び、上記ハンガーケースカバーのいずれか一つに当該情報伝達媒体を取り付けるための取付板とユニット化して構成されていることを特徴とする請求項４から８までのいずれかに記載のエレベーター。
【発明の詳細な説明】
【技術分野】
【０００１】
本発明は、フェッシャープレート、トーガード、及び、ハンガーケースカバー等が昇降路内に臨んで設けられているエレベーターに関する。
【背景技術】
【０００２】
エレベーターの昇降路内には、乗場の敷居下に設けられているトーガード、及びそのトーガードの下方に設けられているフェッシャープレートが配置されている（例えば、特許文献１参照）。
【０００３】
【特許文献１】実用新案登録第３０５１８４６号公報
【発明の開示】
【発明が解決しようとする課題】
【０００４】
しかし、トーガード及びフェッシャープレートは、塗装が単色で施される等、無味乾燥で殺伐なものとして構成され、これらトーガード及びフェッシャープレートを有する昇降路内のスペースは、昇降路内に設けられているハンガーケースカバーのスペースを含めて、有効に活用されていないという問題があった。
【０００５】
本発明は、上述のような課題を解決するためになされたもので、昇降路内のスペースを有効に活用することが可能なエレベーターを得るものである。
【課題を解決するための手段】
【０００６】
本発明のエレベーターは、乗場敷居の下方で昇降路内に臨んで設けられているトーガードを備え、トーガードには、文字及び絵の少なくともいずれか一方による情報が直接描かれている。
【発明の効果】
【０００７】
本発明は、乗場敷居の下方で昇降路内に臨んで設けられているトーガードに、文字及び絵の少なくともいずれか一方による情報が直接描かれることにより、その情報を伝達させる効果がある。このため、昇降路内のスペースを有効に活用することができる。
【発明を実施するための最良の形態】
【０００８】
実施の形態１．
図１は、本発明の実施の形態１に係るエレベーターの昇降路１００内の一部を示す構成図である。
図１において、エレベーターの昇降路１００は、建物内の吹き抜け部分に接して配置されている。また、昇降路１００は、ガラス等の透明な板材で囲まれて構成されている。即ち、昇降路１００内が外部から見えるようになっている。上層階の乗場戸１と低層階の乗場戸２との間には、トーガード３、複数のフェッシャープレート４、及び、ハンガーケースカバー５がそれぞれ設けられている。
【０００９】
トーガード３は、乗場の床先を保護するためのものであり、乗場敷居６の下方で昇降路１００内に臨んで設けられている。
【００１０】
各フェッシャープレート４は、かごの床先（かご敷居の先端）と昇降路１００壁との隙間（水平距離）が所定値以下になるようにするための保護板である。なお、かごの戸には、窓が設けられている。これにより、かご内の乗客が、戸の窓から、トーガード３上面、各フェッシャープレート４上面、及び、ハンガーケースカバー５上面を見ることができる。
【００１１】
各フェッシャープレート４は、上層階床下から低層階の出入口上部までの部分、即ち、かご出入口に面する部分にそれぞれ設けられている。また、各フェッシャープレート４は、トーガード３の下方で昇降路１００内に臨んでそれぞれ配置されている。そして、それぞれのフェッシャープレート４上面には、例えば、エレベーターの製造会社名やその他の商品宣伝に関する情報ｄ１が直接描かれている。これにより、例えば、かご内の乗客が、かごの戸の窓から、フェッシャープレート４上面に描かれている情報ｄ１を見ることができる。また、例えば、昇降路１００付近にいる者が、昇降路１００のガラス越しに情報ｄ１を見ることができる。
【００１２】
ハンガーケースカバー５は、ハンガレールケース７をカバーするためのものである。このハンガーケースカバー５は、フェッシャープレート４の下方で昇降路１００内に臨んで設けられている。なお、ハンガレールケース７は、横引き式の乗場戸２を吊るためのハンガレールを保護するためのものである。
【００１３】
このように、実施の形態１によれば、昇降路１００内に臨むように配置されている各フェッシャープレート４上面には、情報ｄ１が直接描かれている。このため、フェッシャープレート４に描かれている情報ｄ１が、例えば、乗客等の者の目に触れることとなる。したがって、フェッシャープレート４に描かれている情報ｄ１を乗客等に伝えることが可能となる。以上から、昇降路１００内のスペースを情報掲示板を兼ねた情報提供スペースとして有効に活用することが可能となる。
【００１４】
実施の形態２．
図２は、本発明の実施の形態２に係るエレベーターの昇降路１００ａ内の一部を示す構成図である。なお、実施の形態１と同一部分は、実施の形態１と同一の符号を付し、重複説明を省略する。
【００１５】
図２において、昇降路１００ａは、建物内の吹き抜け部分に接して配置され、かつ、ガラスで囲まれて構成されている。昇降路１００ａ内には、トーガード３、複数のフェッシャープレート４、及び、ハンガーケースカバー５が昇降路１００ａ内に臨んでそれぞれ設けられている。そして、各フェッシャープレート４上には、情報伝達媒体としての電光表示盤８が設けられている。
【００１６】
電光表示盤８は、その表示情報（伝達するための情報）ｄ２が昇降路１００ａ内に臨んで表示されるよう配置されている。電光表示盤８の表示情報ｄ２には、例えば、「東海地方の明日は雨です（降水確率７０％）」という気象情報が含まれる。これにより、例えば、かご内の乗客等が、電光表示盤８の表示情報ｄ２を見ることができる。
【００１７】
電光表示盤８は、図３に示すように、取付板９を介して各フェッシャープレート４に設けられている。取付板９は、電光表示盤８を各フェッシャープレート４に取り付けるためのものであり、電光表示盤８と一体化されている。つまり、電光表示盤８及び取付板９は、ユニット化して構成されている。これにより、電光表示盤８をより簡便に交換することができる。なお、図２において、昇降路壁１０、三方枠１１、及び、乗場の床面１２が示されている。
【００１８】
以上説明したように、実施の形態２によれば、各フェッシャープレート４に設けられている電光表示盤８は、昇降路１００ａ内に臨むように配置されている。このため、電光表示盤８の表示情報ｄ２が、例えば、乗客等に伝えられることとなる。したがって、昇降路１００ａ内のスペースが情報提供スペースとして有効に活用されることとなる。
【００１９】
なお、かごの故障時や、地震時、火災時は、電光表示盤８の電源を遮断することにより、感電等の不具合が妨げられる。又、電光表示盤８に表示情報ｄ２を表示させると、フェッシャープレート４上面に情報ｄ１を直接描くという場合に比べて、表示情報ｄ２の内容をより簡易に変更することが可能となる。さらに、例えば、かごの停止時は表示情報ｄ２を不表示にし、かごの昇降時は表示情報ｄ２を再表示させることにより、省エネルギーとなる。
【００２０】
実施の形態３．
図４は、本発明の実施の形態３に係る展望用エレベーターの昇降路１００ｂ内の一部を示す斜視図である。なお、実施の形態１と同一部分は、実施の形態１及び２と同一の符号を付し、重複説明を省略する。
【００２１】
図４において、２台の展望用エレベーターの昇降路１００ｂは、建物外部の道路に面して配置されている。また、昇降路１００ｂの壁面には展望窓が設けられている。これにより、昇降時、乗客が外景を見ることができる。
【００２２】
そして、個々の展望用エレベーターにつき、トーガード３、複数のフェッシャープレート４、及び、ハンガーケースカバー５が昇降路１００ｂ内に臨んで設けられている。フェッシャープレート４上面には、情報伝達媒体としてのＬＥＤパネル８ａが昇降路１００ｂ内に臨んで２台設けられている。
【００２３】
ＬＥＤパネル８ａの表示情報ｄ３には、例えば、イベント会場に関する情報や、ニュースに関する情報が含まれる。
【００２４】
このようにすると、例えば、道路を歩いている通行人１２が、ＬＥＤパネル８ａ上に表示されている表示情報ｄ３を確認することができる。このため、ＬＥＤパネル８ａの表示情報ｄ３が、例えば通行人１２等に伝えられ、昇降路１００ｂ内のスペースが情報提供スペースとして有効に活用されることとなる。
【００２５】
なお、上記実施の形態１において、フェッシャープレート４に情報ｄ１が描かれている場合について説明したが、トーガード３やハンガーケースカバー５に情報ｄ１が描かれていてもよい。
また、フェッシャープレート４等に描かれる情報ｄ１は、文字のほか、絵で構成されていてもよい。このようにしても、トーガード３等に描かれている情報ｄ１が乗客等に伝えられ、昇降路内のスペースが有効に活用されることとなる。
【００２６】
上記実施の形態２及び３において、情報伝達媒体には電光表示盤８及びＬＥＤ表示盤８ａが用いられる場合について説明したが、例えば、ステッカー、垂れ幕、又は、ネオン管表示盤が用いられてもよい。
また、電光表示盤等の情報伝達媒体は、フェッシャープレート４に設けられている場合について説明したが、トーガード３やハンガーケースカバー５に設けられていてもよい。このようにしても、トーガード３等に設けられているステッカー等の情報伝達媒体上の情報が、乗客等に伝えられ、昇降路内のスペースが有効に活用されることとなる。
【図面の簡単な説明】
【００２７】
【図１】本発明の実施の形態１に係るエレベーターの昇降路内の一部を示す構成図である。
【図２】本発明の実施の形態２に係るエレベーターの昇降路内の一部を示す構成図である。
【図３】図２のフェッシャープレート及び電光表示盤の取付を示す断面図である。
【図４】本発明の実施の形態３に係るエレベーターの昇降路内の一部を示す構成図である。
【符号の説明】
【００２８】
１，２  乗場戸、３  トーガード、４  フェッシャープレート、５  ハンガーケースカバー、８  電光表示盤（情報伝達媒体）、９  取付板。
【図１】
2005145593.tif 000003
【図２】
2005145593.tif 000004
【図３】
2005145593.tif 000005
【図４】
2005145593.tif 000006